(57)【特許請求の範囲】
【請求項１】
躯体上に敷設されている熱可塑性樹脂からなる発泡断熱材上に養生期間に養生材を敷設する工程を有し、
前記養生材は、
樹脂製の基材と、
前記基材より遮熱性が高く前記基材の下面に形成されている金属製の遮熱層と、
を有するものであり、
前記養生材を敷設する工程では、前記基材と前記遮熱層とのうち前記遮熱層を下面側にして、前記養生材を前記発泡断熱材上に敷設する養生方法。
【請求項２】
前記養生材は、少なくとも８００ｎｍと２１００ｎｍとの波長の反射率が３０％以上である請求項１に記載の養生方法。
【請求項３】
前記養生材は、破損検査のために防水シートの下面に敷設される導電シートからなる請求項１または２に記載の養生方法。
【請求項４】
躯体と、
前記躯体上に敷設されている熱可塑性樹脂からなる発泡断熱材と、
前記発泡断熱材上に養生期間に敷設される養生材と、
を有し、
前記養生材は、
樹脂製の基材と、
前記基材より遮熱性が高く前記基材の下面に形成されている金属製の遮熱層と、
を有するものであり、
前記基材と前記遮熱層とのうち前記遮熱層を下面側にして、前記養生材が前記発泡断熱材上に敷設されている構造体。
【請求項５】
前記養生材は、少なくとも８００ｎｍと２１００ｎｍとの波長の反射率が３０％以上である請求項４に記載の構造体。
【請求項６】
前記養生材は、破損検査のために防水シートの下面に敷設される導電シートからなる請求項４または５に記載の構造体。
【発明の詳細な説明】
【技術分野】
【０００１】
本発明は、躯体上に敷設されている発泡断熱材に養生期間に敷設される養生材、その養生方法、養生材を有する構造体、に関する。
【背景技術】
【０００２】
従来、屋上やバルコニー等の構造体の屋外部分の構成において、例えばＡＬＣ(Autoclaved Lightweight aerated Concrete)や合板といった躯体である床下地上に、水勾配や断熱性能を得る目的で発泡断熱材を敷設し、その上に防水シートを敷設する、といった外断熱の構成が良く知られている。
【０００３】
この構成における発泡断熱材としては、主に熱可塑性の合成樹脂発泡体が使用される。しかし、その施工後に太陽光の影響で発泡断熱材の温度が上昇してガラス転位温度を超えて軟化し、発泡断熱材のセルが内部のガスの圧力に負け膨張するといった、いわゆる二次発泡の現象が発生することがある。
【０００４】
このような防水シート下に敷設された発泡断熱材で床下地および床下地下の温度上昇を抑制する方法として、防水シートに直接、アルミ箔を積層したり、表層に遮熱層を形成したものが知られている（特許文献１〜３）。
【先行技術文献】
【特許文献】
【０００５】
【特許文献１】特開平０５−７９１３０号公報
【特許文献２】特開２００５−６１１４６号公報
【特許文献３】特開２００４−３６０３３２号公報
【発明の概要】
【発明が解決しようとする課題】
【０００６】
しかしながら、防水シート下にアルミ箔や遮熱層を設けたものでは、床下地および床下地下の温度上昇を抑制する程の効果は期待できても、養生期間、屋上、バルコニーなどの曝される床面にわたって敷設する防水シートの領域のうち、遮熱断熱ペアガラスの直下から周辺にかけての太陽光がガラスにより反射されて照射される領域など、特に、温度が高くなる領域においては、下方の発泡断熱材が熱変形したり、二次発泡したりする場合があり、このような領域に対して発泡断熱材の熱変形や二次発泡を防止する対策は十分取れているとはいえなかった。
【０００７】
本発明は上述のような課題に鑑みてなされたものであり、養生期間において発泡断熱材の熱変形や二次発泡を防止することができる養生材、その養生方法、養生材を有する構造体、を提供するものである。
【課題を解決するための手段】
【０００８】
本発明の第一の養生材は、躯体上に敷設される熱可塑性樹脂からなる発泡断熱材上に養生期間に敷設される養生材であって、基材と、基材より遮熱性が高い遮熱層と、を有する。
【０００９】
従って、本発明の養生材では、躯体上に敷設された発泡断熱材上に遮熱性を有する養生材が養生期間に敷設される。このため、少なくとも養生期間において、例えば、直射日光とガラスによる反射日光とが終日照射されるような場合でも、発泡断熱材を遮熱層で必要充分に遮熱することができる。
【００１０】
また、上述のような養生材において、養生材は、少なくとも８００ｎｍと２１００ｎｍとの波長の反射率が３０％以上であってもよい。
【００１１】
また、上述のような養生材において、養生材は、樹脂製の基材と、基材の少なくとも一面に形成されている金属製の遮熱層と、を有してもよい。
【００１２】
また、上述のような養生材において、養生材は、破損検査のために防水シートの下面に敷設される導電シートからなってもよい。
【００１３】
本発明の第二の養生材は、躯体上に敷設される熱可塑性樹脂からなる発泡断熱材上に養生期間に敷設される養生材であって、発泡断熱材より遮熱性が高いガラスクロスとガラス不織布との少なくとも一方からなる。
【００１４】
本発明の第三の養生材は、躯体上に敷設される熱可塑性樹脂からなる発泡断熱材上に養生期間に敷設される養生材であって、発泡断熱材より遮熱性が高い白色と銀色との少なくとも一方の樹脂シートからなる。
【００１５】
本発明の第四の養生材は、躯体上に敷設される熱可塑性樹脂からなる発泡断熱材上に養生期間に敷設される養生材であって、発泡断熱材より遮熱性が高い遮熱層を有する遮熱防水シートからなる。
【００１６】
本発明の第四の養生材は、躯体上に敷設される熱可塑性樹脂からなる発泡断熱材上に養生期間に敷設される養生材であって、発泡断熱材より遮熱性が高い白色と銀色との少なくとも一方の顔料を含有する遮熱防水シートからなる。
【００１７】
また、上述のような養生材において、養生材は、少なくとも８００ｎｍと２１００ｎｍとの波長の反射率が３０％以上であってもよい。
【００１８】
本発明の養生方法は、躯体上に敷設されている熱可塑性樹脂からなる発泡断熱材上に養生期間に本発明の養生材を敷設する。
【００１９】
本発明の構造体は、躯体と、躯体上に敷設される熱可塑性樹脂からなる発泡断熱材と、発泡断熱材上に養生期間に敷設される本発明の養生材と、を有する。
【００２０】
なお、本発明で云う基材とは、金属製などの遮熱層を形成できるものであればよく、例えば、曲折容易なシート状や曲折困難な板状に形成された樹脂材などでよい。また、本発明でいう遮熱性とは、日光などが照射されたときに、所定の波長域に対して所定の反射率や所定の吸収率および熱容量を有することを意味する。
【発明の効果】
【００２１】
本発明の養生材では、少なくとも養生期間において、例えば、直射日光とガラスによる反射日光とが終日照射されるような場合でも、発泡断熱材を遮熱層で必要充分に遮熱することができる。このため、養生期間において発泡断熱材の熱変形や二次発泡を防止することができる。
【図面の簡単な説明】
【００２２】
【図１】本発明の実施の形態の構造体の構造を示す模式的な縦断正面図である。
【図２】本発明の実施の形態の養生材の構造を示す模式的な縦断正面図である。
【発明を実施するための形態】
【００２３】
本発明の実施の一形態を図面を参照して以下に説明する。本実施の形態の養生材１５０は、躯体１１０上に敷設される熱可塑性樹脂からなる発泡断熱材１２０上に養生期間に敷設される養生材１５０であって、図２に示すように、基材１５１と、基材１５１より遮熱性が高い遮熱層１５２と、を有する。
【００２４】
このような養生材１５０を利用した構造体１００は、図１に示すように、躯体１１０と、躯体１１０上に敷設される熱可塑性樹脂からなる発泡断熱材１２０と、この発泡断熱材１２０上に敷設される防水シート１４０と、防水シート１４０上に養生期間に敷設されて所定の遮熱性を有する養生材１５０と、を有する。
【００２５】
より詳細には、躯体１１０は、いわゆる屋上やバルコニーを形成するものであり、例えば、軽量気泡コンクリートであるＡＬＣや合板などで形成されている。この躯体１１０上には、所定の板厚の発泡断熱材１２０が敷設されている。この発泡断熱材１２０は、押出法やビーズ法によるポリスチレンフォームや硬質ウレタンフォームなどの熱可塑性樹脂からなる。
【００２６】
この発泡断熱材１２０上には、必要により絶縁シート１３０や歩行ボード(図示せず)が敷設されている。この絶縁シート１３０は、ポリエチレン製のシートが代表的なものとして挙げられ、歩行ボードとしては、ケイ酸カルシウムなどからなる板状体が代表的なものとして挙げられる。
【００２７】
この絶縁シート１３０上には、防水シート１４０が敷設されている。この防水シート１４０は、例えば、塩化ビニールやポリオレフィンなどからなるシート成形体が挙げられる。そして、この防水シート１４０上に、少なくとも養生期間において、養生材１５０が敷設されている。
【００２８】
このような養生材１５０は、例えば、粘着テープにより防水シート１４０上に仮止めされる。このような養生材１５０は、通常は養生期間が終了すると撤去され、歩行板などを上面に設置されるが、歩行板などを上面に設置されない場合は、そのまま放置することもある(図示せず)。
【００２９】
上述のような養生材１５０は、例えば、図２に示すように、樹脂製の基材１５１と、基材１５１の少なくとも一面に形成されている金属製の遮熱層１５２と、を有する。このような樹脂製の基材１５１は、例えば、ポリエチレン、ＰＥＴ(Polyethylene Terephthalate)、ポリエステル、ランダムＰＰ(polypropylene)、等でシート状に形成されている。
【００３０】
遮熱層１５２は、アルミニウムなどからなる。このような遮熱層１５２は、蒸着やラミネートにより基材１５１の下面に形成されている。遮熱の観点では遮熱層１５２を基材１５１上に配置した方が効果的であるが、この場合は反射率が高く作業者の負担となるため、遮熱層１５２を基材１５１の下面に配置することが好適である。
【００３１】
このような養生材１５０は、少なくとも８００ｎｍと２１００ｎｍとの波長の反射率が３０％以上である。より具体的には、８００〜２１００ｎｍの波長の全域における反射率が３０％以上である。好ましくは５０％以上である。
【００３２】
このような養生材１５０は、専用に形成することもできるが、破損検査のために防水シート１４０の下面に敷設される導電シートを流用することができる。このような導電シートは、アルミニウム等の金属や金属酸化物、導電性カーボン、導電性繊維及び金属粉末等の導電性材料を含む塗料をポリエチレンシートや補強布にラミネートや塗布したものが挙げられる。上述のような養生材１５０は、直射日光とガラスによる反射日光とが終日照射されても発泡断熱材１２０が二次発泡しない遮熱性を有する。
【００３３】
より詳細には、養生材１５０は、ガラスによる反射日光と直射日光とが同一位置に終日照射されても発泡断熱材１２０が二次発泡しない遮熱性を有し、ガラスがペアガラスでも発泡断熱材１２０が二次発泡しない遮熱性を有する。遮熱断熱ペアガラスは外面に金属膜をコーティングしているため、日光の反射率が高い。上記ガラスは表面が交差する一対のものでも、上下開閉式のものであってもよい。
【００３４】
上述のような構成において、本実施の形態の構造体１００では、躯体１１０上に順番に敷設された発泡断熱材１２０と防水シート１４０上に、遮熱性を有する養生材１５０が養生期間に敷設される。
【００３５】
養生は、躯体１１０上に敷設された発泡断熱材１２０や防水シート１４０などを所定期間で風雨などから保護して定着させるものであり、上述のように養生材１５０を敷設することで実現される。
【００３６】
そして、本実施の形態の養生材１５０では、少なくとも養生期間において、例えば、直射日光とガラスによる反射日光とが終日照射されるような場合でも、発泡断熱材１２０を金属製の遮熱層１５１で遮熱することができる。
【００３７】
また、養生材１５０は、樹脂製の基材１５１と、基材１５１の少なくとも一面に形成されている遮熱層１５２と、からなるので、その構造が簡単である。このような養生材１５０は、破損検査のために防水シート１４０の下面に敷設される導電シートを流用することができる。
【００３８】
[実施例]
ここで、実際に本発明者が実験した結果を実施例として説明する。まず、本発明者が用意した養生材１５０は、ポリエチレンフィルム、ポリエチレン製不織布、および発泡ポリエチレンフィルムの積層体からなる基材１５１にアルミ箔からなる遮熱層１５２をポリエチレンフィルム面にラミネートすることにより形成した構造からなる。基材１５１を構成するポリエチレンフィルムの厚みは１５μｍ、発泡ポリエチレンフィルムの厚みは１ｍｍであり、遮熱層１５２の厚みは７μｍである。この四層構成からなる養生材１５０の厚みは１．２ｍｍである。このような養生材１５０は、８００〜２１００ｎｍの波長域における反射率が３０％以上であった。
【００３９】
試験環境としては、表面が交差する一対のペアガラスによる反射日光と直射日光とが同一位置に終日照射される位置であり、このような位置の温度は９０℃以上の高温となる。なお、発泡断熱材１２０の耐熱性は、７０〜１００℃程度である。このような温度は、例えば、既存の分光吸光光度計や赤外分光計等により測定される。
【００４０】
そして、上述のような養生材１５０を前述のように敷設したところ、発泡断熱材１２０の温度を１０℃以上低下させることができた。すると、養生期間において構造体の発泡断熱材１２０の熱変形や二次発泡を防止することができた。特に、養生材１５０は、８００〜２１００ｎｍの波長域における反射率が３０％以上であるため、直射日光とガラスによる反射日光とが終日照射されても発泡断熱材１２０が二次発泡しない遮熱性を発生することができた。
【００４１】
さらに、養生材１５０は、表面が交差する一対のガラスによる反射日光と直射日光とが同一位置に終日照射されても発泡断熱材１２０が二次発泡しない遮熱性を発生することができ、ガラスがペアガラスでも発泡断熱材１２０が二次発泡しない遮熱性を発生することができた。
【００４２】
なお、本発明は本実施の形態に限定されるものではなく、その要旨を逸脱しない範囲で各種の変形を許容する。例えば、上記形態では養生材１５０は、樹脂製の基材１５１と、基材１５１の少なくとも一面に形成されている遮熱層１５２と、を有することを例示した。
【００４３】
しかし、養生材が、ガラスクロスとガラス不織布との少なくとも一方からなってもよい。この場合も、養生材は、８００〜２１００ｎｍの波長の全域における反射率が３０％以上であるため、直射日光とガラスによる反射日光とが終日照射されても発泡断熱材１２０が二次発泡しない遮熱性を発生することができる。
【００４４】
また、養生材が、白色と銀色との少なくとも一方の樹脂シートからなってもよい。このような養生材は、炭酸カルシウム、中空セラミックバルーン、酸化チタン、等の白色と銀色との少なくとも一方の顔料を、ポリエチレン等の樹脂シートに混練させることで形成される。
【００４５】
この場合も、養生材は、８００〜２１００ｎｍの波長域における反射率が３０％以上であるため、直射日光とガラスによる反射日光とが終日照射されても発泡断熱材１２０が二次発泡しない遮熱性を発生することができる。
【００４６】
なお、上述のような顔料としては、例えば、カーボン顔料を除き、フタロシアニン系、イソインドリノン系、ペリレン系、アゾ系、縮合アゾ系、キナクリドン系、アンスラキノン系、アニリンブラック系、トリフェニルメタン系、ジオキサジン系、酸化チタン系、酸化鉄系、酸化クロム系、クロム酸鉛系、スピネル型焼成系、等を利用できる。
【００４７】
さらに、上記形態では養生材の８００〜２１００ｎｍの波長域における反射率が３０％以上であることを例示した。しかし、養生材が所定の吸熱性と所定の熱容量とを有することにより、直射日光とガラスによる反射日光とが終日照射されても発泡断熱材１２０が二次発泡しない遮熱性を発生することもできる。
【００４８】
また、上記形態では養生材１５０は樹脂製の基材１５１の下面にアルミニウムなどの遮熱層１５２が蒸着やラミネートで形成されていることを例示した。しかし、前述のように基材１５１上に遮熱層１５２が位置してもよい。さらに、いわゆるアルミ箔を基材１５１に接着して養生材を形成してもよく、その場合は、アルミ箔の平滑面と粗面とを上面としても下面としてもよい。
【００４９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
以下、参考形態の例を付記する。
１．
躯体上に敷設される熱可塑性樹脂からなる発泡断熱材上に養生期間に敷設される養生材であって、
基材と、
前記基材より遮熱性が高い遮熱層と、
を有する養生材。
２．
前記養生材は、少なくとも８００ｎｍと２１００ｎｍとの波長の反射率が３０％以上である１．に記載の養生材。
３．
前記養生材は、樹脂製の前記基材と、前記基材の少なくとも一面に形成されている金属製の前記遮熱層と、を有する１．または２．に記載の養生材。
４．
前記養生材は、破損検査のために防水シートの下面に敷設される導電シートからなる１．ないし３．の何れか１つに記載の養生材。
５．
躯体上に敷設される熱可塑性樹脂からなる発泡断熱材上に養生期間に敷設される養生材であって、
前記発泡断熱材より遮熱性が高いガラスクロスとガラス不織布との少なくとも一方からなる養生材。
６．
躯体上に敷設される熱可塑性樹脂からなる発泡断熱材上に養生期間に敷設される養生材であって、
前記発泡断熱材より遮熱性が高い白色と銀色との少なくとも一方の樹脂シートからなる養生材。
７．
躯体上に敷設される熱可塑性樹脂からなる発泡断熱材上に養生期間に敷設される養生材であって、
前記発泡断熱材より遮熱性が高い遮熱層を有する遮熱防水シートからなる養生材。
８．
躯体上に敷設される熱可塑性樹脂からなる発泡断熱材上に養生期間に敷設される養生材であって、
前記発泡断熱材より遮熱性が高い白色と銀色との少なくとも一方の顔料を含有する遮熱防水シートからなる養生材。
９．
前記養生材は、少なくとも８００ｎｍと２１００ｎｍとの波長の反射率が３０％以上である５．ないし８．の何れか１つに記載の養生材。
１０．
躯体上に敷設されている熱可塑性樹脂からなる発泡断熱材上に養生期間に１．ないし９．の何れか１つに記載の養生材を敷設する養生方法。
１１．
躯体と、
前記躯体上に敷設される熱可塑性樹脂からなる発泡断熱材と、
前記発泡断熱材上に養生期間に敷設される１．ないし９．の何れか１つに記載の養生材と、
を有する構造体。
【符号の説明】
【００５０】
１００    構造体
１１０    躯体
１２０    発泡断熱材
１３０    絶縁シート
１４０    防水シート
１５０    養生材
１５１    基材
１５２    遮熱層
【図１】
0005585835.tif 000002
【図２】
0005585835.tif 000003